(57)【要約】【課題】  一般家庭における設備、家電機器単位の電力量の測定を既設の分電盤内において容易に取り付けが可能なロードサーベイメータ（ＬＳＭ）を内蔵した分電盤及びそのロードサーベイメータを提供する。【解決手段】  ロードサーベイメータ及び各種のブレーカーを内蔵する図示しない箱体と、電力量計の負荷電源端部に接続されるサービスブレーカー１１と、分岐端子台上に設けたバスバー１４Ｐ１乃至１４Ｐ３に接続する漏電ブレーカー１２と、前記バスバーを備えた分岐端子台１３と、前記バスバーに入力端部を接続した複数の安全ブレーカー１３、１５と、前記バスバーを選択して、サーベイする前記安全ブレーカーの電源に接続し、当該安全ブレーカーの負荷電流を検出する変流器２４をとを備え、前記サーベイメータを前記分電盤内に収納したことを特徴とする。【選択図】  図１
2005253130.tif 000002
【特許請求の範囲】
【請求項１】
ロードサーベイメータを内蔵した分電盤であって、
前記ロードサーベイメータ及び各種の安全ブレーカーを内蔵する箱体と、
前記分電盤は、電力量計の負荷電源端部に接続されるサービスブレーカーと、
一方の入力端部を前記サービスブレーカーに、他方の出力端部を分岐端子台上に設けたバスバーに接続する漏電ブレーカーと、
前記バスバーを備えた分岐端子台と、
前記バスバーに入力端部を接続した複数の安全ブレーカーと、
前記分岐端子台上のバスバーを選択して、サーベイする前記安全ブレーカーの負荷電源と同じ電源に接続し、当該安全ブレーカーの負荷電流を検出する変流器を備えたロードサーベイとを
備え、
前記ロードサーベイメータのサーベイする電源の電圧は、前記安全ブレーカーの入力端子部の前記バスバーから入力し、サーベイする前記安全ブレーカーの負荷電流は前記変流器を分電盤内で接続して入力し、前記サーベイメータを前記分電盤内に収納したことを特徴とするロードサーベイメータを内蔵した分電盤。
【請求項２】
前記ロードサーベイメータは、サーベイする電圧を入力する端子部と、サーベイする負荷電流を検出する前記変流器と、前記電圧と前記負荷電流とから電力量を演算する電力演算部と、前記電圧を入力し、当該電力演算部内の電子回路に供給する電源を供給する電源部とを備え、
前記電力演算部は、前記電圧を低圧信号に変換する抵抗分圧回路と、
前記変流器の出力信号を低圧の電圧信号に変換する電流電圧変換回路と、
前記抵抗分圧回路の出力と前記電流電圧変換回路の出力から電力量を求める乗算回路と、
前記乗算回路の出力から所定期間の電力量を求める演算ＣＰＵと、
前記ロードサーベイメータの機器アドレスの設定部と、
前記演算ＣＰＵで求めた電力量と前記機器アドレスとを格納する記憶手段と、
前記電力量及び前記機器アドレスを通信端末に送信する通信インタフェース回路と、
前記電力量及び前記通信インタフェース回路の通信状態を表示する表示部とを
備えたことを特徴とする請求項１に記載のロードサーベイメータを内蔵した分電盤。
【請求項３】
前記通信インタフェース回路からの通信は、測定する電力を供給する電源線を使用する電力搬送方式とし、前記サーベイする電源線に接続された通信端末に送信するようにしたことを特徴とする請求項１に記載のロードサーベイメータを内蔵した分電盤。
【請求項４】
分電盤内に備えられるロードサーベイメータであって、
分電盤に取付けられ、サーベイする電圧を接続する端子部を備えたベースと、
前記ベース上の取付けられた電力演算部と、
前記ベース上に取付けられ、前記電力演算回路に供給する電源部と、
前記ベースと嵌合し、前記電力演算部及び前記電源部を覆うカバーと、
前記電力演算部とリード線で接続された変流器とを
備えたことを特徴とするロードサーベイメータ。
【請求項５】
前記ベースに備えられた端子部は、サーベイする電源との接続線を挿通する挿入口を備え、この挿入口に挿通された接続線と接続する部分を金属で構成した端子金具とし、挿入された接続線の挿入方向と直行する前記カバー上部方向から固定ネジで螺合して取付けるようにしたことを特徴とする請求項４に記載のロードサーベイメータ。
【請求項６】
前記挿入口のピッチ間隔は、前記分電盤内に設けられる前記安全ブレーカーの入力端部の電源線のピッチ間隔と一致させたことを特徴とする請求項５に記載のロードサーベイメータ。
【請求項７】
前記電力演算部は、抵抗分圧回路と、
前記変流器信号を低圧の電圧信号に変換する電流電圧変換回路と、
前記抵抗分圧回路の出力と前記電流電圧変換回路の出力から電力量を求める乗算回路と、
前記乗算回路の出力所定期間の電力量を求める演算ＣＰＵと、
前記ロードサーベイメータの機器アドレスの設定部と、
前記演算ＣＰＵで求めた電力量と前記機器アドレスとを格納するメモリと、
前記電力量及び前記機器アドレスを電力搬送方式で前記サーベイする負荷電源ラインに接続された通信端末に送信する通インタフェース回路と、
前記電力量及び前記通信回路の通信状態を表示する表示部とを
備えたことを特徴とする請求項４に記載のロードサーベイメータ。
【請求項８】
前記カバーは、前記機器アドレス及び通信方式の設定、及び通信状態と電力量の測定状態を前記カバーの外部から設定及び目視することが可能な窓部を設けたことを特徴とする請求項４に記載のロードサーベイメータ。
【発明の詳細な説明】
【技術分野】
【０００１】
本発明は、サーベイメータを内蔵した分電盤及びそのロードサーベイメータに係わり、特にそのロードサーベイメータを分電盤内に備えたロードサーベイメータを内蔵した分電盤及びそのロードサーベイメータに関する。
【背景技術】
【０００２】
ロードサーベイメータは、多くの需要家を無作為に抽出して、電力量の使用状態を継続的に調査する機器で、今後の電力需要動向の分析、電力供給計画、省エネ計画、及び新たな電力料金制度を検討するためデータを採取する重要なツールである。
【０００３】
このような従来のロードサーベイメータについて、一般家庭で使用される場合のシステムについて、図５を参照して説明する。
【０００４】
図において、５１は単相３線式の場合の電力量計であり、電力量計５１の電源側電線１Ｓ、２Ｓ、３Ｓから電圧がロードサーベイメータ（以後ＬＳＭと言う）５２に入力され、電力量計１の負荷側電線１Ｌ、３Ｌからその電流が変流器２４０、２４１を介してＬＳＭ５２に入力される。
【０００５】
ＬＳＭ５２は、入力された電圧値と電流値とから電力量を算出して、通信端末５３に送信し、通信端末５３を介して図示しない通信回線を介して電力供給元に置かれるホストコンピュータに送信される(例えば、特許文献１参照。)。
【０００６】
また、ＬＳＭ５２から通信端末５３への通信は、図に示すような使用電源の電線５４、５５を介して送信する、電力搬送方式で送信される場合がある（例えば、特許文献２参照。）。
【０００７】
また、電力量計５１の負荷側電線１Ｌ乃至３Ｌは、分電盤１００に接続され、
分電盤１００内のサービスブレーカー１１０、漏電ブレーカー１２０及び安全ブレーカー（１００Ｖ用）１３０、１３１、安全ブレーカー（２００Ｖ用）１５０、１５１を介して夫々の家電機器、例えば、家電機器２００は安全ブレーカー１５０の負荷側電線に接続される。
【０００８】
このように構成されたＬＳＭ５２からの電力量のデータは、この分電盤１００を介して供給されるこの家庭全体の電力量の使用状態を電力供給元のホストコンピュータに送信し、同様にしてＬＳＭ５２を備えた他の各家庭からの電力量の使用状態と加算されて、対象とする需要家の電力量の需要動向が蓄積される。
【特許文献１】特開２００３−７５４７０号公報（第１頁、図４）
【特許文献２】特開平７−２０１５１号公報（第１頁、図２）
【発明の開示】
【発明が解決しようとする課題】
【０００９】
近年、一般家庭においては、給湯器、床暖房、エアコン、クッキングヒータなど２００Ｖ電源を使用する家庭用の設備、家電機器が利用されるようになってきた。
【００１０】
これらの比較的消費電力量の大きい家庭用の設備、家電機器の多くは、その地域、季節や時間帯、家族構成によって使用される傾向が大きく異なる。そのため、電力計画、省エネ計画、電気料金の改定計画等を立案するためには、個々の設備単位の電力量の使用状態を測定する必要がある。
【００１１】
しかしながら、従来のＬＳＭにおいては、電力量計単位の電力量測定、即ち、家庭単位の全電力量の使用状況を知ることはできるが、各設備、家電機器単位の細かな使用状況を知ることができない問題がある。
【００１２】
また、従来のＬＳＭを各家庭で使用する場合には、屋内に置かれる分電盤以降の負荷側電源線と設備の間にＬＳＭを設置する必要がある。この場合、２００Ｖを使用する設備の多くは、安全ブレーカーから直接接続された１個のコンセント以外のコンセントを持たないため、ＬＳＭを設置する場合専用のコンセントとその電源線の敷設が必要になる場合が多い。
【００１３】
また、このようなＬＳＭを多数の家庭に付設するには、その取り付け工事に伴う需要家家庭の負担だけでなく、ＬＳＭを設置する電力供給元の負担費用も大きくなる問題があった。
【００１４】
そのため、電力計計画、省エネ計画、及び電気料金の改定計画等が的確に推進できない問題があった。
【００１５】
本発明は上記問題点を解決するためになされたもので、一般家庭における単層３線式の電源に接続される、設備、家電機器単位の電力量の測定を、特別の設置空間を必要とせず、既設の分電盤内において容易に取り付けが可能なロードサーベイメータを内蔵した分電盤及びそのロードサーベイメータを提供することを目的とする。
【課題を解決するための手段】
【００１６】
上記目的を達成するために、本発明に係わる請求項１のロードサーベイメータを内蔵した分電盤は、ロードサーベイメータを内蔵した分電盤であって、前記ロードサーベイメータ及び各種の安全ブレーカーを内蔵する箱体と、前記分電盤は、電力量計の負荷電源端部に接続されるサービスブレーカーと、一方の入力端部を前記サービスブレーカーに、他方の出力端部を分岐端子台上に設けたバスバーに接続する漏電ブレーカーと、前記バスバーを備えた分岐端子台と、前記バスバーに入力端部を接続した複数の安全ブレーカーと、前記分岐端子台上のバスバーを選択して、サーベイする前記安全ブレーカーの負荷電源と同じ電源に接続し、当該安全ブレーカーの負荷電流を検出する変流器を備えたロードサーベイとを備え、前記ロードサーベイメータのサーベイする電源の電圧は、前記安全ブレーカーの入力端子部の前記バスバーから入力し、サーベイする前記安全ブレーカーの負荷電流は前記変流器を分電盤内で接続して入力し、前記サーベイメータを前記分電盤内に収納したことを特徴とする。
【００１７】
上記目的を達成するために、本発明に係わる請求項１のロードサーベイメータを内蔵した分電盤は、請求項１において、前記ロードサーベイメータは、サーベイする電圧を入力する端子部と、サーベイする負荷電流を検出する前記変流器と、前記電圧と前記負荷電流とから電力量を演算する電力演算部と、前記電圧を入力し、当該電力演算部内の電子回路に供給する電源を供給する電源部とを備え、前記電力演算部は、前記電圧を低圧信号に変換する抵抗分圧回路と、前記変流器の出力信号を低圧の電圧信号に変換する電流電圧変換回路と、前記抵抗分圧回路の出力と前記電流電圧変換回路の出力から電力量を求める乗算回路と、前記乗算回路の出力から所定期間の電力量を求める演算ＣＰＵと、前記ロードサーベイメータの機器アドレスの設定部と、前記演算ＣＰＵで求めた電力量と前記機器アドレスとを格納する記憶手段と、前記電力量及び前記機器アドレスを通信端末に送信する通信インタフェース回路と、前記電力量及び前記通信インタフェース回路の通信状態を表示する表示部とを備えたことを特徴とする。
【００１８】
上記目的を達成するために、本発明に係わる請求項４のロードサーベイメータは、分電盤内に備えられるロードサーベイメータであって、分電盤に取付けられ、サーベイする電圧を接続する端子部を備えたベースと、前記ベース上の取付けられた電力演算部と、前記ベース上に取付けられ、前記電力演算回路に供給する電源部と、前記ベースと嵌合し、前記電力演算部及び前記電源部を覆うカバーと、前記電力演算部とリード線で接続された変流器とを備えたことを特徴とする。
【００１９】
上記目的を達成するために、本発明に係わる請求項５のロードサーベイメータは、請求項４において、前記ベースに備えられた端子部は、サーベイする電源との接続線を挿通する挿入口を備え、この挿入口に挿通された接続線と接続する部分を金属で構成した端子金具とし、挿入された接続線の挿入方向と直行する前記カバー上部方向から固定ネジで螺合して取付けるようにしたことを特徴とする。
【００２０】
上記目的を達成するために、本発明に係わる請求項６のロードサーベイメータは、請求項５において、前記挿入口のピッチ間隔は、前記分電盤内に設けられる前記安全ブレーカーの入力端部の電源線のピッチ間隔と一致させたことを特徴とする。
【発明の効果】
【００２１】
本発明によれば、サーベイする電源の電圧は、サーベイする電源を供給する安全ブレーカーの電源と同じ電源を分電盤内のバスバーから入力し、その負荷電流は当該安全ブレーカーの負荷電流が流れる電線から変流器を介して検出し、測定した電力量及び当該ロードサーベイメータの機器アドレスを通信手段で送信する構成とし、電源線との接続は、安全ブレーカーに挿通される電源線の接続と同じ構造で接続するようにしたので、一般家庭における単層３線式の電源に接続される、設備、家電機器単位の電力量の測定を、特別の設置空間を必要とせず、既設の分電盤内において容易に取り付けが可能なロードサーベイメータを内蔵した分電盤及びそのロードサーベイメータを提供することができる。
【発明を実施するための最良の形態】
【００２２】
以下、図面を参照して、実施例を説明する。
【実施例１】
【００２３】
図1は本発明のロードサーベイメータ（以後ＬＳＭと言う）が内蔵された、ＬＳＭを内蔵した分電盤1の構成と、ＬＳＭを内蔵した分電盤1が使用されるシステムの構成を示す。
【００２４】
同図において、電力量計５には電源側電線Ｓ１、Ｓ２、Ｓ３から電源が供給され、その負荷側電線Ｌ１、Ｌ２、Ｌ３がＬＳＭを内蔵した分電盤1へ入力される。そして、ＬＳＭを内蔵した分電盤1から負荷に供給される１００Ｖ、２００Ｖの電源は、夫々各負荷側電線８及び９から供給される。
【００２５】
ＬＳＭを内蔵した分電盤1の構成は、入力端部を電力量計５の負荷側電線Ｌ１、Ｌ２、Ｌ３に接続されたサービスブレーカー１１と、サービスブレーカー１１の出力側を入力とする漏電ブレーカー１２と、漏電ブレーカー１２の出力側の電圧をバスバー１４Ｐ１、１４Ｐ３、１４Ｐ３を搭載し、電源の分岐接続を可能とする分岐端子台１４と、この分岐端子台１４から１００Ｖ、２００Ｖの電源を入力して夫々の負荷に供給する複数の１００Ｖ用の安全ブレーカー１３（ＮＦＢ１乃至ＮＦＢ４）及び複数の２００Ｖ用の安全ブレーカー１５（ＮＦＢ５乃至ＮＦＢ７）と、この安全ブレーカー１３及び安全ブレーカー１５の予備空間に並設されるＬＳＭ１６と、及びこれら各ブレーカーを平板上で固定する取り付けるベースを備えた図示しない箱体とから構成される。
【００２６】
ＬＳＭを内蔵した分電盤1は、例えば、家電機器２の電力量を測定する場合には、この家電機器２が使用される電源と同じ電源の電圧は、分岐端子台１４のバスバー１４Ｐ１とバスバー１４Ｐ３に接続してＬＳＭ１６に入力する。
【００２７】
また、家電機器２の負荷電流は、ＬＳＭを内蔵した分電盤1内において負荷側電線９ａに流れる電流を後述する変流器２４で検出して、ＬＳＭ１６に入力する。
【００２８】
そして、入力されたこの電圧値と負荷電流値から求めた電力量は、電力搬送方式通信手段を備えたＬＳＭ1６から負荷側電源線９ａを介して、通信端末３に送信され、さらに、通信端末３から電話回線４を介して図示しないホストコンピュータに送信される。
【００２９】
この通信端末３への送信は、ＬＳＭ１６から無線通信手段で送信するように構成してもよい。
【００３０】
次にこのような家電機器２の電力量を測定するロードサーベイシステムで使用されるＬＳＭ１６の詳細構成について、図２を参照して説明する。
【００３１】
ＬＳＭ１６の構成は、測定する電源の電圧をバスバー１４Ｐ１、１４Ｐ３（１００Ｖの場合はバスバー１４Ｐ２に接続する）から入力する端子部２１、入力された電源からＬＳＭ１６内で使用する電源を作成する電源回路２２、家電機器２の電力量を演算により求める電力演算回路２３、及び家電機器２の負荷電流を安全ブレーカー（ＮＦＢ５）１５ａからの負荷電線９ａから検出する変流器２４とから構成される。
【００３２】
次に、電力演算回路２３の詳細構成について説明する。電力演算回路２３は、家電機器２の電源電圧を所定の低圧電圧値とする抵抗分圧回路２３ａ、変流器２４からの電流を所定の低圧電圧値とする電流電圧変換回路２３ｂ、抵抗分圧回路２３ａの出力信号と電流電圧変換回路２３ｂの出力信号から電力量を乗算して求める乗算回路２３ｃで構成される。
【００３３】
さらに、当該ＬＳＭ１６の機器アドレス、及び後述する通信インタフェース回路２３ｈの通信方式を選択設定する設定部２３ｄ、乗算回路２３ｃで求めた電力量を所定の単位期間の電力量とし、メモリ２３ｆに格納するとともに、表示部２３ｇ及び通信インタフェース回路２３ｈに送信する演算ＣＰＵ２３ｅ、演算ＣＰＵ２３ｅで求めた電力量及び設定部２３で設定された機器アドレスを格納するメモリ２３ｆ、求めた電力量及び通信インタフェース２３ｈの通信状態を表示する表示部２３ｇ及び通信端末３に送信する通信インタフェース回路２３ｈとから構成される。
【００３４】
この、通信インタフェース回路２３ｈは、図２に示すように、通信端末３の電源がＬＳＭ１６と同じ電源、例えば、家電機器２の負荷電線９ａと同じ電源に接続可能である場合は、電力搬送による通信方式を採用し、そうでない場合は、無線通信によって通信端末３に直接送信する。
【００３５】
次に、このような構成の回路で構成されたＬＳＭ１６の構造の実施例について図３を参照して説明する。ＬＳＭ１６はＬＳＭを内蔵した分電盤1の図示しないベースに固定され、端子部２１を一方の端部に備えたベース３１と、ベース３１と嵌合するカバー３２と、ベース３１に固定され、電源回路２２を基板上に実装した電源部３３と、同じくベース３１に固定され、電源部３３の上部において電力演算回路２３を基板上に実装した電力演算部３４とから構成される。
【００３６】
さらに、リード線２４ａをベース３１またはカバー３２に設けた貫通穴を挿通させ電力演算部３４と接続される変流器２４とから構成される。
【００３７】
次に、ＬＳＭ１６の各部の詳細について説明する。端子部２１を一方の端部に備えたベース３１の構造は、図１に示した分岐端子台１４のバスバー１４Ｐ１乃至１４Ｐ３から測定する電源の電圧が印加されたバスを選択して接続する選択ピン１７を挿入する挿入口３１ａ、３１ｂを備えている。
【００３８】
この選択ピン１７の選択構造については、種々の方法があるが、バスバー１４Ｐ１乃至１４Ｐ３の夫々のバーからバー形状の選択ピン１７を、図示したようなネジ止め構造として選択的に装着可能な構造としておけばよい。
【００３９】
そして、この挿入口３１ａ、３１ｂにはピンを挿通させる穴を設けた端子金具３１ｃを備え、ベース３１と平行で、このピンの挿入方向と直行するカバー３２の上部方向から固定ネジ３５ｂ、３５ｃを螺合して挿入されたピンを固定する。
【００４０】
通常、分岐端子台１４のバスバー１４Ｐ１乃至１４Ｐ３には、複数の安全ブレーカー１３、１５を取り付ける。図示したようなバスバー１４Ｐ１乃至１４Ｐ３と一体となった取り出しのピンが、実装する安全ブレーカー１３、１５の台数分設けられている。
【００４１】
また、この安全ブレーカー１３、１５の実装台数は、将来の増設を見込んで予備のスペースが確保されているので、ＬＳＭ１６は、この空きスペースに実装される。
【００４２】
このように挿入口３１ａ、３１ｂの間隔は、ピンのピッチＬとし、端子金具３１ｃの形状もこのピンの形状に合わせた形状としておくと、安全ブレーカー１３、１５と同様な接続が容易に可能となる。
【００４３】
そして、ＬＳＭを内蔵した分電盤１の図示しない箱体のベースに、取付けネジ３５ａで固定される。
【００４４】
次に、カバー３２は、電力演算部３４に実装される設定部２３ｄ及び表示部２３ｇの図示しない機器アドレスの設定スイッチ、電力量及び通信状態の図示しない表示用ＬＥＤがその上部から設定、目視可能なように、設定、表示窓３２ａを切り欠いておく。
【００４５】
以上のような構成で作られた。ＬＳＭ１６の設定の手順とその動作について説明する。ＬＳＭ１６は、ＬＳＭを内蔵した分電盤１の予備の安全ブレーカーを実装する空間に固定される。まず、例えば、サーベイの対象となる家電機器２の電源を選択して接続し、その負荷電流が流れる電線に変流器２４を取付ける。そして、設定、表示窓３２ａから機器アドレスをスイッチで設定、または設定された値を確認して測定の準備が完了する。
【００４６】
電源が投入されＬＳＭ１６が測定を開始され、通信端末３との通信が正常に通信されるとその通信状態が表示用ＬＥＤを表示窓から目視することで確認される。
【００４７】
このようなロードサーベイメータ（ＬＳＭ）を内蔵した分電盤１におけるＬＳＭ１６の取り付け作業は、熟練された人を必要とせず、安全ブレーカーと同様に簡単な手順で短時間に、且つ、需要家の負担をかけず行うことができる。
【実施例２】
【００４８】
図４は、本発明の第２の実施例に係るＬＳＭを内蔵した分電盤１の構成を示し、特に、測定対象とする家電機器２及び２ａと、複数の測定対象がある場合のシステム構成を示す。
【００４９】
第２の実施例の各部について、図１の第１の実施例に係るＬＳＭを内蔵した分電盤１の各部と同一部分は同一符号で示し、その説明を省略する。
【００５０】
第２の実施例が、第１の実施例と異なる点は、第１の実施例では、家電機器２の電力量をＬＳＭ１６で測定したが、第２の実施例では、家電機器２及び２ａの電力量をＬＳＭ１６及び１６ａで同時に２台の電力量を測定する点が異なる。
【００５１】
この場合、ＬＳＭ１６、ＬＳＭ１６ａで測定した電力量は、屋外に置かれる電力量計５と並設される全ロード用ＬＳＭ５ａへ、電源線を使用する電力搬送による通信方式でデータを送信し、全ロード用ＬＳＭ５ａから通信端末３にＬＳＭを内蔵した分電盤１で使用される需要家の全ての電力量と、家電機器２及び２ａの電力量とを合わせて送信する。
【００５２】
このように構成することによって、従来の全ロードＬＳＭ５ａによる電力量と、個別の設備単位の電力量の使用状態が同時に、従来の全ロード用ＬＳＭ５ａを介して効率よく詳細に送信することが可能となる。
【００５３】
なお、本発明は上記実施例に限定されるものでなく、例えば、通信端末３への通信方式は無線通信等各種の通信方式に変形することも可能で、また、ＬＳＭの形状は各種の安全ブレーカーの実装形態に合わせた接続方式にする等、本主旨を逸脱しない範囲で適宜変形することが可能である。
【図面の簡単な説明】
【００５４】
【図１】本発明のロードサーベイメータを内蔵した分電盤の第１の実施例を示す構成図
【図２】本発明のロードサーベイメータの構成図。
【図３】本発明のロードサーベイメータの分解斜視図。
【図４】本発明のロードサーベイメータを内蔵した分電盤の第２の実施例を示す構成図。
【図５】従来のロードサーベイメータによる電力量の測定システムの構成図。
【符号の説明】
【００５５】
１  ロードサーベイメータを内蔵した分電盤
２、２ａ、２００  家電機器、
３、５３  通信端末
４  電話回線
５、５１  電力量計
５ａ、５２  全ロード用ＬＳＭ
６、５４  電源側電線
７、５５  負荷側電線
８  １００Ｖ負荷側電線
９  ２００Ｖ負荷側電線
１１、１１０  サービスブレーカー
１２、１２０  漏電ブレーカー
１３、１３０，１３１１５０、１５１  安全ブレーカー（１００Ｖ）
１４  分岐端子台
１４Ｐ１、１４Ｐ２、１４Ｐ３  バスバー
１５、１５ａ  安全ブレーカー（２００Ｖ）
１６、１６ａ  ＬＳＭ
１７  選択ピン
２１  端子台
２２  電源回路
２３  電力演算回路
２３ａ  抵抗分圧回路
２３ｂ  電流電圧変換回路
２３ｃ  乗算回路
２３ｄ  設定部
２３ｅ  演算ＣＰＵ
２３ｆ  メモリ
２３ｇ  表示部
２３ｈ  通信インタフェース回路
２４、２４０、２４１  変流器
２４ａ  リード線
３１  ベース
３１ａ、３１ｂ  挿入口
３１ｃ  端子金具
３２  カバー
３２ａ  設定、表示窓
３３  電源部
３４  電力演算部
３５ａ  取り付けネジ
３５ｂ、３５ｃ  固定ネジ
１００  分電盤
【図１】
2005253130.tif 000003
【図２】
2005253130.tif 000004
【図３】
2005253130.tif 000005
【図４】
2005253130.tif 000006
【図５】
2005253130.tif 000007